(57)【要約】【課題】  演奏感を良好に維持できるとともに、ブリッジより後方の弦の長さを十分に確保でき、弦楽器本体の前後長さを縮小することができるようにすること。【解決手段】  前後方向に延びる胴部１６及びその正面１６Ａ側に位置する四本の弦１１と、胴部１６上のブリッジ２２より後方に位置するとともに、胴部１６の後部正面側で各弦１１の後端側を支持するテールピース１７と、このテールピース１７を胴部１６の正面から離間した状態に保つテールワイヤ１８とを備えて弦楽器１０が構成されている。テールピース１７は、胴部１６の正面１６Ａに沿う片状若しくは板状に形成され、後端側において弦１１の後端領域を折り返した状態で支持するようになっている。【選択図】      図５
2005148099.tif 000002
【特許請求の範囲】
【請求項１】
弦楽器本体上のブリッジより後方に配置されるとともに、複数の弦の後端側を支持するテールピースと、このテールピースを弦楽器本体に連結するとともに、テールピースを弦楽器本体から離間した状態に保つ連結部材とを備えた弦支持構造であって、
前記テールピースは、前記ブリッジより後方に位置する弦の後端領域を折り返した状態で支持することを特徴とする弦楽器の弦支持構造。
【請求項２】
前記テールピースは、前記弦楽器本体の正面に沿う片状若しくは板状に形成され、前記正面側において弦の後端領域がテールピースの後端側で折り返されて略反転方向に向けられることを特徴とする請求項１記載の弦楽器の弦支持構造。
【請求項３】
前記テールピースの後端には、前記各弦を受容する溝が形成され、当該溝は、弦の延出方向に沿う断面形状が略円弧状に形成されていることを特徴とする請求項２記載の弦楽器の弦支持構造。
【発明の詳細な説明】
【技術分野】
【０００１】
本発明は、弦楽器の弦支持構造に係り、更に詳しくは、ブリッジから後方に位置する弦の長さを十分に確保しつつ、弦楽器本体の前後長さを縮小することのできる弦楽器の弦支持構造に関する。
【背景技術】
【０００２】
従来より、バイオリン、チェロ、コントラバス等の弦楽器が広く利用されており（特許文献１参照）、近時、弦の振動エネルギーをピックアップにより変換し、電気音として再生可能なタイプのものも普及しつつある。このような弦楽器において、弦の後端側を支持する構造としては、図７に示される構造が一般的に採用されている。同図において、弦８０は、その前端８０Ａ側が糸巻き８１により支持されている一方、中間部が弦楽器本体８２の正面８２Ａ（図７中左面）に突設されたブリッジ８３により支持されている。また、弦８０の後端８０Ｂ側は、板状のテールピース８５により支持されている。このテールピース８５は、テールワイヤ８６を介して弦楽器本体８２の後部に連結されるとともに、弦楽器本体８２の正面８２Ａに接触することなく離れた状態に保たれている。
【０００３】
【特許文献１】特開２０００−２５９１４９号公報
【発明の開示】
【発明が解決しようとする課題】
【０００４】
しかしながら、このような構造では、テールピース８５が前後に長い形状をなすため、必然的に弦楽器本体８２の前後長さも長くなる。このため、弦楽器を持ち運ぶ際に、当該弦楽器が壁や柱等に接触したり、ぶつけたりしないようにする負担が大きくなり、弦楽器の運搬が困難且つ煩わしくなるという不都合を招来する。かかる不都合は、チェロやコントラバス等、弦楽器が大型化したときに、特に顕出することとなる。
【０００５】
ところで、前記胴部８３の前後長さを縮小させる構造として、図８及び図９に示される構造が考えられる。図８の構造は、図７の構造に対し、ブリッジ８３と弦楽器本体８２の後端との距離を短くするように弦楽器本体８２を縮小した構造である。また、図９の構造は、図８の構造に対し、テールピース及びテールワイヤを省略し、弦楽器本体８２の後端側に設けられたサドル８８に弦８０の後端８０Ｂを連結した構造となっている。
【０００６】
しかしながら、前記図８の構造にあっては、ブリッジ８３と弦８０の後端８０Ｂとの距離が短くなり過ぎ、弦８０の飾り巻き領域８０Ｃがブリッジ８３に跨るようになる。これにより、弦８０の正確な振動が損なわれる他、弦８０が糸巻き８１方向（図８中上方）にシフトして糸巻き８１に巻き付ける弦８０が長くなり、糸巻き８１により弦８０を巻く作業が煩雑になるという不都合を生じる。
また、図９の構造にあっては、ブリッジ８３と弦８０の後端８０Ｂとの間の距離を確保できるものの、テールピース８５を用いた場合に比べて指や弓に伝わる感触が異なってしまい、演奏時に違和感を生じさせるという不都合がある。
【０００７】
［発明の目的］
本発明は、このような不都合に着目して案出されたものであり、その目的は、ブリッジより後方の弦の長さを十分に確保して演奏感を良好に維持しつつ、弦楽器本体の前後長さを縮小することができる弦楽器の弦支持構造を提供することにある。
【課題を解決するための手段】
【０００８】
前記目的を達成するため、本発明は、弦楽器本体上のブリッジより後方に配置されるとともに、複数の弦の後端側を支持するテールピースと、このテールピースを弦楽器本体に連結するとともに、テールピースを弦楽器本体から離間した状態に保つ連結部材とを備えた弦支持構造であって、
前記テールピースは、前記ブリッジより後方に位置する弦の後端領域を折り返した状態で支持する、という構成を採っている。
【０００９】
本発明において、前記テールピースは、前記弦楽器本体の正面に沿う片状若しくは板状に形成され、前記正面側において弦の後端領域がテールピースの後端側で折り返されて略反転方向に向けられる、という構成を採ることができる。
【００１０】
また、前記テールピースの後端には、前記各弦を受容する溝が形成され、当該溝は、弦の延出方向に沿う断面形状が略円弧状に形成される、という構成も好ましくは採用される。
【発明の効果】
【００１１】
本発明によれば、弦の後端領域が折り返されるため、ブリッジより後方の弦の長さを十分な長さに設定しつつ、ブリッジと弦楽器本体の後端とを近付けるように当該弦楽器本体の前後長さを短縮することができる。これにより、弦楽器を持ち運ぶ際の負担を軽減することできるばかりでなく、弦の飾り巻き領域がブリッジに跨ったり、糸巻きにより巻かれる弦の長さが長くなり過ぎることを回避することが可能となる。しかも、連結部材を介してテールピースが弦楽器本体から離間した状態に保たれるため、弦のテンションの感触や演奏感が良好に維持される。
また、弦がテールピースの後端側で折り返されて略反転方向に向けられるので、折り返された弦の間にテールピースを位置させて弦楽器本体の前後長さのコンパクト化を達成することができる。
更に、テールピースの後端に各弦を受容する断面視円弧状の溝を形成した場合、弦の位置ずれを防止することができ、且つ、折り返し位置における弦に生じる負荷を軽減することが可能となる。
なお、本明細書及び特許請求の範囲において、「前」は、図１中上側すなわち弦楽器の糸巻き側について用いられる一方、「後」は、同図中下側すなわち弦楽器本体のテール側について用いられる。また、「正面」、「正面側」は、弦楽器を構成する各部材の図２中左側について用いられる一方、「背面」、「背面側」は、同図中右側について用いられる。
【発明を実施するための最良の形態】
【００１２】
以下、本発明の実施の形態について図面を参照しながら説明する。
【００１３】
図１には、本発明に係る弦支持構造が適用された弦楽器の概略正面図が示され、図２には、図１の右側面図が示されている。これらの図において、弦楽器１０は、演奏時に、指や弓により弦１１を振動させ、当該振動を拾って所定制御することで電気音を再生可能なタイプのものである。この弦楽器１０は、前後方向に延びる四本の前記弦１１と、これら弦１１の前端側を巻き付けて当該弦１１の張力を調整可能な四つの糸巻き１２Ａを含むボックス部１２と、このボックス部１２の後方に設けられて前後方向に延びるネック１３と、このネック１３の前端側に設けられたナット１４と、ネック１３の後端側に連設されて前後方向に延びる弦楽器本体としての胴部１６と、この胴部１６の後部正面側で各弦１１の後端側を支持するテールピース１７と、このテールピース１７と胴部１６の後端側とを連結する連結部材としてのテールワイヤ１８とを備えて構成されている。
【００１４】
前記各弦１１の後端には、図３（Ａ）、図４及び図５に示されるように、円盤状をなすボール１９が取り付けられており、このボール１９がテールピース１７に引っ掛けられて当該テールピース１７に弦１１の後端側が支持されるようになっている。
【００１５】
前記胴部１６は、略四角柱状に形成されており、前方における図１中左右両側に、公知のチェロ等の外形に沿う形状を有する側部材２１，２１が取り付けられている。胴部１６の正面１６Ａ側において、テールピース１７より前方寄りの位置にはブリッジ２２が突設されており、当該ブリッジ２２によって前記ナット１４とテールピース１７との間の弦１１を屈曲させて支持している。また、胴部１６の下端面には、前後方向に延びるエンドピン２３が連設されている。このエンドピン２３は、図３（Ａ）及び図５にも示されるように、胴部１６の下端面に連結される基部２５と、この基部２５より細径に設けられて後端が床面等に接地する長軸部２６とを備えている。基部２５は、その周方向に沿って形成された周溝２５Ａを備えており、この周溝２５Ａ内に前記テールワイヤ１８が受容されるようになっている。
【００１６】
ここで、胴部１６の正面１６Ａ側における後端に沿う位置には、側面視したときに、略三角形を呈する台状のサドル２７が設けられている。このサドル２７は、その頂部２７Ａから後面２７Ｂに亘って形成された図３（Ａ）中左右一対のワイヤ受容溝２７Ｃ，２７Ｃを含み、当該ワイヤ受容溝２７Ｃ，２７Ｃにより、エンドピン２３から延びるテールワイヤ１８をテールピース１７側に向け、且つ、左右方向にテールワイヤ１８がずれることを防止するようになっている。
【００１７】
前記テールピース１７は、その後端側で弦１１の後端領域を折り返して略反転方向に向けるように設けられている。テールピース１７は、胴部１６の正面１６Ａに沿う片状若しくは板状に形成されたピース本体２９と、このピース本体２９の前端側で前記ボール１９に係合する弦支持部３０と、ピース本体２９の後端に沿う四箇所位置に設けられて各弦１１を受容する溝３１と、ピース本体２９の背面側（図４参照）に設けられるとともに、テールワイヤ１８の前部領域を支持するテールワイヤ支持部３３と、ピース本体２９の後端側に設けられるとともに、ピース本体２９の後述する傾斜角度を調整可能な調整手段３４とを備えて構成されている。
【００１８】
前記ピース本体２９は、図３（Ｂ）、（Ｃ）中左右方向中間部が正面側に膨らむ板状に形成されている。また、ピース本体２９は、当該ピース本体２９と胴部１６の正面１６Ａとの間に位置する弦１１に対し、前部領域が次第に離れる傾斜方向に向けられている。
ここにおいて、図５及び図６に示されるように、ピース本体２９の背面と、ピース本体２９及び胴部１６の正面１６Ａの間に位置する弦１１とのなす角度を傾斜角度θとする。
【００１９】
前記弦支持部３０は、図３（Ａ）に示されるように、ピース本体２９の前端に沿う四箇所位置に形成された鍵穴部３６により構成されている。各鍵穴部３６は、図４及び図５にも示されるように、ピース本体２９を厚さ方向に貫通する丸穴３７と、この丸穴３７に連なって後方に延びるスロット穴３８と、ピース本体２９におけるスロット穴３８の背面側を凹ませるように形成されるとともに、前記ボール１９を受容するボール受容部３９とを備えて構成されている。丸穴３７の内径は、ボール１９の直径より大きく設定されている一方、スロット穴３８の短寸幅は、弦１１の太さより大きく、且つ、ボール１９の厚さより小さく設定されている。
【００２０】
前記各溝３１は、図３（Ａ）に示されるように、ピース本体２９の後端を下向き略Ｕ字状に凹ませて形成されるとともに、弦１１の太さよりも大きい溝幅に設定されている。図５に示されるように、各溝３１は、弦１１の延出方向すなわち前後方向に沿って断面視したときに、略円弧状の断面形状に形成された湾曲部３１Ａを前部側にそれぞれ備えている。
【００２１】
前記テールワイヤ支持部３３は、図４及び図６に示されるように、ピース本体２９の背面中央領域を面落ちさせて形成されるとともに、後述する結束部材を受容する凹部４１と、この凹部４１の後部内面領域から後方に延び、図４中左側の二つの溝３１，３１間と右側の二つの溝３１，３１間に位置するとともに、テールワイヤ１８を内部に挿通させる一対の通路４２，４２とを備えている。各通路４２，４２の後部領域は、ピース本体２９の背面及び後端面側を開放する開放部４３，４３とされる。
【００２２】
前記調整手段３４は、各開放部４３，４３の正面側においてピース本体２９を貫通する一対の雌ねじ穴４５，４５と、これら雌ねじ穴４５，４５内にそれぞれ設けられるとともに、先端４６Ａ（図６中右端）がテールワイヤ１８に当接するねじ部材４６，４６とにより構成され、雌ねじ穴４５内でねじ部材４６を進退させることで、ねじ部材４６の先端４６Ａ側におけるテールワイヤ１８の屈曲角度を調整できるようになっている。
【００２３】
前記テールワイヤ１８は、一本のワイヤ部材により構成されている。テールワイヤ１８は、その両端側が前記凹部４１内で結束部材４８を介して連結された略輪状に設けられるとともに、前記各通路４２，４２を通過してテールピース１７に取り付けられる。テールワイヤ１８の後部領域は、前記周溝２５Ａ内に位置するように基部２５に掛け回され、胴部１６の後端側に連結されている。また、テールワイヤ１８は、各弦１１を張設してテールピース１７に前方への引っ張り力を付与したときに、テールピース１７が胴部１６の正面１６Ａ及びサドル２７から離間する長さに設定されている。
【００２４】
次に、弦１１の後端側をテールピース１７に支持させる作業について説明する。
【００２５】
ここでは、テールワイヤ１８が前述したようにテールピース１７に取り付けられているものとする。先ず、テールワイヤ１８の後端側を前記周溝２５Ａに受容させて基部２５に掛け回す。次いで、ピース本体２９の正面側から鍵穴部３６の丸穴３７内に弦１１のボール１９を挿通させた後、ピース本体２９の正面側で弦１１の後端領域を後方に向ける。これにより、弦１１がスロット穴３８内に位置するとともに、ボール１９がボール受容部３９受容されて各鍵穴部３６に弦１１の後端側が支持される。次に、図５に示されるように、溝３１内に弦１１を受容させつつ略反転方向すなわち前方に向けて折り返す。この際、各弦１１は、溝３１の湾曲部３１Ａの軌跡に沿って略円弧状に折り返されるとともに、湾曲部３１Ａの図５中右端より若干左寄りの位置を最終接触位置Ｐ１としてピース本体２９と胴部１６の正面１６Ａとの間を通過することとなる。
【００２６】
その後、弦１１に張力を付与すべく糸巻き１２Ａを所定操作することにより、ブリッジ２２より後方に位置する弦１１の後端領域が折り返された状態に保たれてテールピース１７に支持される。このとき、テールピース１７は、弦１１とテールワイヤ１８とにより前後両側から引っ張られるようになり、胴部１６の正面１６Ａから離間した状態に保持されるようになっている。
【００２７】
この状態において、ピース本体２９の前記傾斜角度θを調整することができるようにしておいても良い。この作業は、調整手段３４の止めねじ４６を進退させ、当該止めねじ４６の先端４６Ａ位置におけるテールワイヤ１８の屈曲角度を調整すればよい。これにより、弦１１の湾曲部３１Ａにおける最終接触位置Ｐ１が変位し、ピース本体２９の傾斜角度θが変化することとなる。なお、弦１１のテールピース１７との最終接触位置Ｐ１は、弦１１と止めねじ４６との接触点となる先端４６Ａよりもブリッジ２２寄りとなるように位置しており、ボール１９が弦１１に接触せず、且つ、弦楽器１０においてテールピース１７の前端が最も正面側に位置しないように、傾斜角度θが設定されている。
【００２８】
従って、このような実施形態によれば、テールピース１７を胴体１６の正面１６Ａから離間させた状態で、弦１１の後端領域がテールピース１７により折り返されているので、弦１１を鳴らすときに、指や弓に伝わる感触に違和感を生じさせることなく、胴部１６の前後長さを縮小して運び易さを向上させることができる。また、止めねじ４６によりピース本体２９の傾斜角度θを調整可能としたので、弦１１を張設中若しくは張設後に、ピース本体２９の傾斜姿勢を簡単且つ良好に維持することが可能となる。
【００２９】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３０】
例えば、前記エンドピン２３は、長軸部２６を省略した構成にする等、テールワイヤ１８を支持できる限りにおいて種々の設計変更が可能である。
また、前記実施形態では、本発明を、電気音を再生するタイプの弦楽器１０に適用した場合を説明したが、弦楽器本体において弦１１の音を共鳴させるバイオリンやチェロ、コントラバス等にも適用することが可能である。
更に、テールピース１７の調整手段３４は、省略した構成としてもよい。
【産業上の利用可能性】
【００３１】
本発明に係る弦支持構造は、テールピースを介して弦の後端側を支持する弦楽器に利用することができる。
【図面の簡単な説明】
【００３２】
【図１】本発明に係る弦支持構造が適用された弦楽器の正面図。
【図２】図１の右側面図。
【図３】（Ａ）は、図２の矢印Ａ方向から見た拡大図、（Ｂ）は、（Ａ）のテールピースを上から見た図、（Ｃ）は、（Ａ）のテールピースを下から見た図。
【図４】図３（Ａ）のテールピースを背面側から見た図。
【図５】図３のＢ−Ｂ線に沿う一部断面図。
【図６】図４のＣ−Ｃ線に沿う一部断面図。
【図７】従来例に係る弦楽器の右側面図。
【図８】他の従来例に係る弦楽器の右側面図。
【図９】更に他の従来例に係る弦楽器の右側面図。
【符号の説明】
【００３３】
１０・・・弦楽器、１１・・・弦、１６・・・胴部（弦楽器本体）、１７・・・テールピース、１８・・・テールワイヤ（連結部材）、２２・・・ブリッジ、３１・・・溝
【図１】
2005148099.tif 000003
【図２】
2005148099.tif 000004
【図３】
2005148099.tif 000005
【図４】
2005148099.tif 000006
【図５】
2005148099.tif 000007
【図６】
2005148099.tif 000008
【図７】
2005148099.tif 000009
【図８】
2005148099.tif 000010
【図９】
2005148099.tif 000011